(57)【要約】【課題】オーディオの出力中にＨＤＤの起動等で生じる電流や電圧変化によりオーディオ出力の音の揺らぎを生じることを防止可能なハードディスクオーディオ装置とする。【解決手段】ＨＤＤ１はオーディオデータを記録しモータ２で回転するディスク５と、ディスクに記録したデータを読み取る磁気ヘッド４とを備え、デバイスデコーダ７には磁気ヘッドで読み取ったデータを記録するデバイスデコーダメモリ８と、そのメモリのデータを順に読み出した後消去しながらデコードするデコード部９とを備える。空き容量検出手段１５はデバイスデコーダメモリの空き容量を検出し、空き容量が所定値以下であることを検出したとき、ＨＤＤのモータの回転駆動を継続しながら、磁気ヘッドで読み取ったオーディオデータをデバイスデコーダメモリに記録することを停止し、空き容量が所定値以上であることを検出したときデバイスデコーダメモリに記録する制御を行う。【選択図】図１
2007066337.tif 000002
【特許請求の範囲】
【請求項１】
オーディオデータを記録しモータで回転するディスクと、前記ディスクに記録したデータを読み取る磁気ヘッドとを備えたハードディスク装置と、
前記磁気ヘッドで読み取ったオーディオデータを記録するデバイスデコーダメモリと、前記デバイスデコーダメモリのデータを順に読み出した後消去しながらデコードするデコード手段とを備えたデバイスデコーダと、
前記デバイスデコーダメモリの空き容量を検出する空き容量検出手段において前記デバイスデコーダメモリの空き容量が所定値以下であることを検出したとき、前記ハードディスクのモータの回転駆動を継続しながら、前記磁気ヘッドで読み取ったオーディオデータをデバイスデコーダメモリに記録することを停止するとともに、前記空き容量検出手段においてデバイスデコーダメモリの空き容量が所定値以上であることを検出したとき前記磁気ヘッドで読み取ったオーディオデータをデバイスデコーダメモリに記録することにより、オーディオ装置からのオーディオ出力中はハードディスクのモータの回転駆動を継続する制御手段とを備えたことを特徴とするハードディスクオーディオ装置。
【請求項２】
前記磁気ヘッドで読み取ったオーディオデータをデバイスデコーダメモリに記録することを停止するときには、前記磁気ヘッドは同一データの読み取りを繰り返すことを特徴とする請求項１記載のハードディスク装置。
【請求項３】
前記磁気ヘッドで読み取ったオーディオデータをデバイスデコーダメモリに記録することを停止するときには、前記磁気ヘッドは連続したアドレスのデータを読み出すことを特徴とする請求項１記載のハードディスク装置。
【請求項４】
オーディオデータを記録しモータで回転するディスクと、前記ディスクに記録したデータを読み取る磁気ヘッドとを備えたハードディスク装置と、
前記磁気ヘッドで読み取ったオーディオデータを記録するデバイスデコーダメモリと、前記デバイスデコーダメモリのデータを順に読み出した後消去しながらデコードするデコード手段とを備えたデバイスデコーダと、
前記デバイスデコーダメモリの空き容量を検出する空き容量検出手段において前記デバイスデコーダメモリの空き容量が所定値以上であることを検出したとき、前記ハードディスクのモータの回転駆動を停止するとともに、オーディオ出力の曲間を検出する曲間検出手段でオーディオ出力が曲間であることを検出している間だけ、前記ハードディスクのモータを駆動して磁気ヘッドで読み取ったオーディオデータをデバイスデコーダメモリに記録することにより、オーディオ装置からのオーディオ出力中はハードディスクのモータの回転駆動を停止する制御手段とを備えたことを特徴とするハードディスクオーディオ装置。
【請求項５】
前記デバイスデコーダメモリには、次の曲の他に前の曲のオーディオデータも記録することを特徴とする請求項４記載のハードディスクオーディオ装置。  
【発明の詳細な説明】
【技術分野】
【０００１】
本発明は、ハードディスクに各種形式のオーディオデータを記録し、これを再生して出力するハードディスクオーディオ装置に関し、特にハードディスクの回転と停止によって電圧及び電流の変動を生じ、オーディオの音質に影響を与えることを防止することができるようにしたハードディスクオーディオ装置に関するものである。
【背景技術】
【０００２】
近年のハードディスクのディスクに対する記憶容量の大容量化と、そのハードディスクに記録したデータを読み取って出力するハードディスクドライブ（以下「ＨＤＤ」と称する）の低価格化によって、従来広く用いられていたパソコンの記憶装置から、家庭用ビデオへの普及、個人の携帯型オーディオ装置としての利用、また、車両用ナビゲーション装置のデータ記録媒体としての利用等、広範囲で用いられるようになっている。
【０００３】
このようなＨＤＤのディスクにオーディオデータを記録することも、前記のように個人の携帯型オーディオ装置として用いられるようになっているが、特に車両に搭載するナビゲーション装置においては、従来から用いられているＤＶＤに対するデータの記録に代えて、データの書込みも容易なＨＤＤのディスクへの記録が行われるようになっている。ナビゲーション装置におけるＨＤＤの利用に際しては、大容量のＨＤＤのディスクに対して従来のＤＶＤよりもはるかに多くのデータを記録することができるため、地図データの他各種の施設情報や画像情報等も記録するようになっている。
【０００４】
特に前記ナビゲーション装置のデータ記録媒体用の装置として用いるＨＤＤのディスクにおいては、ナビゲーション装置のための前記のような種々のデータを記録しても更に余裕があり、したがってこのＨＤＤのディスクに、例えばｗａｖ、ｍｐ３、ｗｍａ、ＡＴＲＡＣ３、等のオーディオデータを記録することも行われるようになっている。特にｍｐ３等のオーディオデータは圧縮データであるため、ＨＤＤのディスクの一部の空き容量に大量の曲を記録することができ、車両の運転者が各種の曲を選択して聴く際には、この大量の曲の中から、アーティストやジャンル等によって適宜検索を行い、希望の曲を容易に選択して聴くことができるようになる。
【０００５】
上記ＨＤＤのディスクにオーディオデータを記録し、これを再生して聴くときには、ｍｐ３で記録しているときには、そのｍｐ３のオーディオデータを再生することができるソフトを備えたプレーヤを用いて再生出力することとなる。そのプレーヤにおいては例えば図５に示すように行われる。即ち、ＨＤＤ４１はモータ４２で回転駆動されるディスク４５に対して記録しているオーディオデータを、ヘッド駆動部４３でディスクの半径方向に移動する磁気ヘッド４４によって読み取り、ＨＤＤに備えたキャッシュメモリ４６に適宜記録しつつ、これをオーディオプレーヤにおけるデバイスデコーダ４７に備えたデバイスデコーダメモリ４８に出力している。
【０００６】
デバイスデコーダ４７においては、前記のようにしてＨＤＤ４１から入力したオーディオデータをデバイスデコーダメモリ４８に記録し、デコード部４９はここから適宜処理可能分を読み出し、ｍｐ３等のオーディオデータの記録形式にしたがってそのデータをデコードし、オーディオプレーヤで各種処理を行うことができるオーディオ信号としてオーディオ出力部５０から出力する。
【０００７】
また、ＨＤＤ作動の総合制御を行うＨＤＤ作動システム制御部５４では、空き容量検出部５３によって、デバイスデコーダメモリ４８に蓄えていたオーディオデータがデコード部４９でデコードした分を順に消去していく結果、デバイスデコーダメモリ４８に所定以上の空き容量が存在するか否かを検出し、ほとんどデータが無くなったか或いは空き容量が所定以上になったことを検出すると、回転駆動制御部５５にＨＤＤ４１のモータ４２の回転駆動指令を行う。
【０００８】
また、このときＨＤＤ作動システム制御部５４は、磁気ヘッドアクセス制御部５２に対して、先にデバイスデコーダメモリ４８に最終的に記録したデータ部分に対応するアクセス位置を記憶しているアクセス位置記憶部５１からアクセス位置を読み出し、ヘッド駆動部４３を駆動して、磁気ヘッド４４を次のアクセス位置に移動する。
【０００９】
磁気ヘッド４４で読み取ったオーディオデータは、前記と同様に適宜キャッシュメモリ４６を用いてデータの調節を行い、デバイスデコーダ４７のデバイスデコーダメモリ４８にそのデータを記録する。このとき、空き容量検出部５３はデバイスデコーダメモリ４８の空き容量を検出し、空き容量が実質的になくなったとき、或いは所定量以上になったときには、その信号をＨＤＤ作動システム制御部５４に出力し、ＨＤＤ作動システム制御部５４では回転駆動制御部５５によってＨＤＤ４１のモータ４２の回転を停止し、磁気ヘッドアクセス制御部５２によってアクセス位置記憶部５１に対して、最終的にアクセスした位置を記憶する。上記のような作動を繰り返すことにより、ＨＤＤ４１のディスク４５に記録されたオーディオデータは円滑にデコードされ、オーディオ出力を得ることができる。
【００１０】
なお、ｍｐ３で記録したオーディオデータをより高いレベルの音質で再生することができるようにした技術は特開２００１−３２４９９６号公報等に開示されている。
【特許文献１】特開２００１−３２４９９６号公報
【発明の開示】
【発明が解決しようとする課題】
【００１１】
従来のＨＤＤを用いたオーディオ装置は上記のような構成により、デバイスデコーダメモリにＨＤＤのオーディオデータが満杯になるまで記録し、満杯になるまで記録した時点でＨＤＤのモータの駆動を停止し、その後デバイスデコーダメモリのデータをデコードしつつ消去することによってデバイスデコーダメモリにデータがほとんど無くなったか、所定の空き容量以上になったときに再びＨＤＤのモータを駆動し、データの読み取りを行う、という作動を繰り返すこととなる。
【００１２】
その結果、ＨＤＤのモータはオーディオの再生出力の状態とは無関係に、デバイスデコーダメモリの空き容量の状態のみによって駆動と停止が行われる。特にＨＤＤのモータが駆動されるときにはモータ起動のために通常の安定駆動時よりも多くの起動電流を必要とし、その結果ＨＤＤとデバイスデコーダを含むオーディオプレーヤ全体の電圧が低下する。このことは特に、車両用オーディオ装置がＨＤＤに記録したオーディオデータを読み取って再生する場合、車両のバッテリー電源からこれらのオーディオ装置に対して分配して電流供給を行うときには、前記ＨＤＤの起動電流によってその電流供給系統の電圧低下が目立つこととなる。
【００１３】
それにより、オーディオ装置からスピーカに出力している音量に僅かな揺らぎを発生することとなり、音感の鋭いオーディオ愛好者にとっては耳障りなオーディオ出力となってしまい、そのような人にとっては拒否感を募らせることとなる。
【００１４】
したがって本発明は、ＨＤＤに記録したオーディデータを読み取り、デコードを行ってオーディオ出力を行うオーディオ装置において、オーディオの出力中にはＨＤＤの起動や停止を行わないようにし、オーディオの出力中にＨＤＤの起動や停止によって生じる電流や電圧変化によりオーディオ出力の音の揺らぎの発生を防止することを主たる目的とする。
【課題を解決するための手段】
【００１５】
本発明に係るハードディスクオーディオ装置は、前記課題を解決するため、オーディオデータを記録しモータで回転するディスクと、前記ディスクに記録したデータを読み取る磁気ヘッドとを備えたハードディスク装置と、前記磁気ヘッドで読み取ったオーディオデータを記録するデバイスデコーダメモリと、前記デバイスデコーダメモリのデータを順に読み出した後消去しながらデコードするデコード手段とを備えたデバイスデコーダと、前記デバイスデコーダメモリの空き容量を検出する空き容量検出手段において前記デバイスデコーダメモリの空き容量が所定値以下であることを検出したとき、前記ハードディスクのモータの回転駆動を継続しながら、前記磁気ヘッドで読み取ったオーディオデータをデバイスデコーダメモリに記録することを停止するとともに、前記空き容量検出手段においてデバイスデコーダメモリの空き容量が所定値以上であることを検出したとき前記磁気ヘッドで読み取ったオーディオデータをデバイスデコーダメモリに記録することにより、オーディオ装置からのオーディオ出力中はハードディスクのモータの回転駆動を継続する制御手段とを備えたことを特徴とする。
【００１６】
また、本発明に係る他のハードディスクオーディオ装置は、前記ハードディスクオーディオ装置において、前記磁気ヘッドで読み取ったオーディオデータをデバイスデコーダメモリに記録することを停止するときには、前記磁気ヘッドは同一データの読み取りを繰り返すことを特徴とする。
【００１７】
また、本発明に係る他のハードディスクオーディオ装置は、前記ハードディスクオーディオ装置において、前記磁気ヘッドで読み取ったオーディオデータをデバイスデコーダメモリに記録することを停止するときには、前記磁気ヘッドは連続したアドレスのデータを読み出すことを特徴とする。
【００１８】
また、本発明に係る他のハードディスクオーディオ装置は、オーディオデータを記録しモータで回転するディスクと、前記ディスクに記録したデータを読み取る磁気ヘッドとを備えたハードディスク装置と、前記磁気ヘッドで読み取ったオーディオデータを記録するデバイスデコーダメモリと、前記デバイスデコーダメモリのデータを順に読み出した後消去しながらデコードするデコード手段とを備えたデバイスデコーダと、前記デバイスデコーダメモリの空き容量を検出する空き容量検出手段において前記デバイスデコーダメモリの空き容量が所定値以上であることを検出したとき、前記ハードディスクのモータの回転駆動を停止するとともに、オーディオ出力の曲間を検出する曲間検出手段でオーディオ出力が曲間であることを検出している間だけ、前記ハードディスクのモータを駆動して磁気ヘッドで読み取ったオーディオデータをデバイスデコーダメモリに記録することにより、オーディオ装置からのオーディオ出力中はハードディスクのモータの回転駆動を停止する制御手段とを備えたことを特徴とする。
【００１９】
また、本発明に係る他のハードディスクオーディオ装置は、前記ハードディスクオーディオ装置において、前記デバイスデコーダメモリには、次の曲の他に前の曲のオーディオデータも記録することを特徴とする。
【発明の効果】
【００２０】
本発明は上記のように構成したので、ＨＤＤに記録したオーディデータを読み取り、デコードを行ってオーディオ出力を行うオーディオ装置において、オーディオの出力中にはＨＤＤの起動や停止を行わないようにし、オーディオの出力中にＨＤＤの起動等によって生じる電流や電圧変化によりオーディオ出力の音の揺らぎを生じることを防止することができる。
【発明を実施するための最良の形態】
【００２１】
本発明は、オーディオの出力中にＨＤＤの起動等によって生じる電流や電圧変化によりオーディオ出力の音の揺らぎを生じることを防止するという目的を、オーディオデータを記録しモータで回転するディスクと、前記ディスクに記録したデータを読み取る磁気ヘッドとを備えたハードディスク装置と、前記磁気ヘッドで読み取ったオーディオデータを記録するデバイスデコーダメモリと、前記デバイスデコーダメモリのデータを順に読み出した後消去しながらデコードするデコード手段とを備えたデバイスデコーダと、前記デバイスデコーダメモリの空き容量を検出する空き容量検出手段において前記デバイスデコーダメモリの空き容量が所定値以下であることを検出したとき、前記ハードディスクのモータの回転駆動を継続しながら、前記磁気ヘッドで読み取ったオーディオデータをデバイスデコーダメモリに記録することを停止するとともに、前記空き容量検出手段においてデバイスデコーダメモリの空き容量が所定値以上であることを検出したとき前記磁気ヘッドで読み取ったオーディオデータをデバイスデコーダメモリに記録することにより、オーディオ装置からのオーディオ出力中はハードディスクのモータの回転駆動を継続する制御手段とを備えることによって実現した。
【実施例１】
【００２２】
本発明の実施例を図面に沿って説明する。図１は本発明の第１実施例の機能ブロック図であり、基本的な構成は前記図５の従来例と同様である。なお、図１等の機能ブロック図において、各機能を行う機能部は、各々各機能を行う手段ということもできる。ＨＤＤ１においてモータ２で回転駆動されるディスク５に対して記録しているオーディオデータを、ヘッド駆動部３でディスクの半径方向に移動する磁気ヘッド４によって読み取る。このような通常の磁気ヘッド４による読み取り作動においては、磁気ヘッドアクセス制御部１２におけるメモリ用制御部１３によって、利用者によって指示された曲のオーディオデータを、ディスク５の離れた部分にあるデータを含めて、順に読み出す。
【００２３】
ＨＤＤ１の磁気ヘッド４で読み取られたオーディオデータは、図示実施例においてはスイッチとして示しているＨＤＤ外部出力可否選択部６を介して、オーディオプレーヤにおけるデバイスデコーダ７に備えたデバイスデコーダメモリ８に出力している。前記のような通常のＨＤＤ１の読み取り制御に際しては、ＨＤＤ外部出力可否選択部６は後述するＨＤＤ作動システム制御部１６によって、ＨＤＤ１からデバイスデコーダ７へのデータ出力を可能としており、図示するようにスイッチは閉じられた状態となっている。なお、図示の例においては、ＨＤＤのキャッシュメモリを示していないが、従来のものと同様にキャッシュメモリを用いることもできる。
【００２４】
デバイスデコーダ７においては、前記のようにしてＨＤＤ１から入力したオーディオデータをデバイスデコーダメモリ８に記録し、デコード部９はここから適宜処理可能分を読み出して、ｍｐ３等のオーディオデータの記録形式にしたがってそのデータをデコードし、オーディオプレーヤで各種処理を行うことができる信号として、オーディオ出力部１０から出力する。
【００２５】
また、空き容量検出部１５によって、デバイスデコーダメモリ８の空き容量が無くなったか否か、或いは空き容量が所定量以下になったか、即ち、ＨＤＤ１の磁気ヘッド４で読みとったオーディオデータを順にデバイスデコーダメモリ８に記憶しているとき、そのデータがメモリ容量に対して満杯になったか、或いは所定量以下になったか否かを検出する。ここで空き容量が無くなったことを検出したときには、ＨＤＤ作動の総合制御を行うＨＤＤ作動システム制御部１６に信号を出力し、ＨＤＤ作動システム制御部１６ではＨＤＤ外部出力可否選択部６に対して図示スイッチを切る、即ち、ＨＤＤ１の磁気ヘッド４で読み取ったデータをデバイスデコーダ７へは出力しないようにする。なお、このＨＤＤ外部出力可否選択部６は図示するような箇所以外に、例えばデバイスデコーダ７の中に設ける等、種々の態様で実施することができる。
【００２６】
このようにデバイスデコーダメモリ８の記憶容量が満杯となったとき、前記図５の従来例においては、回転駆動制御部１７でＨＤＤ１のモータ２の回転駆動を停止していたものであるが、この実施例においてはモータ２を停止することなく、連続回転駆動を行うように制御する。また、このときＨＤＤ作動システム制御部１６では、磁気ヘッドアクセス制御部１２で前記メモリ用制御部１３による制御から、非メモリ用制御部１４による制御に切り替え、また、デバイスデコーダメモリ８が満杯になったときのアクセス位置、即ちアクセス終了位置をアクセス終了位置記憶部１１に記憶する。
【００２７】
磁気ヘッドアクセス制御部１２における非メモリ用制御部１４では、前記アクセス終了位置のデータを繰り返し読み取り、或いは他の適当なアドレス部分のデータを繰り返し読み取り、或いはディスク上においてできる限り連続したアドレス部分を選択して読み取り、また必要に応じてその部分を繰り返し読み取る作動を行うように制御を行う。
【００２８】
このようにＨＤＤ１のモータが停止することなく、また磁気ヘッドの適宜の位置のデータを繰り返し連続して読み取っている間、そのデータはＨＤＤ外部出力可否選択部６による出力遮断によってデバイスデコーダ７にデータが出力されることはない。この状態でデバイスデコーダメモリ８に記憶したオーディオデータは順にデコード部９でデコードされ、オーディオ出力部１０からオーディオ信号処理部に出力される。このようにしてデコード部９によってデコード処理がなされたデバイスデコーダメモリ８のデータは順に消去され、デバイスデコーダ８は次第に空になっていく。
【００２９】
空き容量検出部１５はこの状態を常時検出し、デバイスデコーダメモリ８のデータがほぼ空になるか、或いは所定量以下になったことを検出すると、その信号をＨＤＤ作動システム制御部１６に出力し、ＨＤＤ作動システム制御部１６は磁気ヘッドアクセス制御部１２において現在作動している非メモリ用制御部１４の作動からメモり用制御部１３の作動に切り替え、メモリ用制御部１３は先に記憶していたアクセス終了位置記憶部１１のアクセス終了位置に基づき、次のアクセス位置から順に読み取るようにヘッド駆動部３の駆動制御を行う。上記作動中、状況に応じてＨＤＤのキャッシュの機能を停止しても良い。
【００３０】
また、ＨＤＤ作動システム制御部１６では、ＨＤＤ外部出力可否選択部６においてＨＤＤで読み取ったデータをデバイスデコーダ７側に出力できるように、図示スイッチをオンにする。それにより再びデバイスデコーダメモリ８にはデータが蓄積され、その間もデコード部９でのデコード処理とオーディオ出力は継続される。その後空き容量検出部１５はデバイスデコーダメモリ８の記憶状態を監視し、メモリが満杯になったときにはＨＤＤ作動システム制御部１６の作動によって再びＨＤＤ外部出力可否選択部６で出力を行わないように切り替え、磁気ヘッドアクセス制御部１２では非メモリ用制御部１４による制御を行って、前記と同様に同一データ読み取りの繰り返し、或いは連続アドレスデータ部分の繰り返し読み取り等を行うとともに、モータは連続回転駆動を継続する。
【００３１】
図１に示すような機能ブロックからなるハードディスクオーディオ装置は、例えば図２に示すような作動フローにしたがって順に作動することにより、本発明を実施することができる。即ち、ＨＤＤオーディオの再生出力処理に際して、ＨＤＤの再生指示部分から順にオーディオデータの読み取りが行われ（ステップＳ１）、デバイスデコーダメモリに順に記録する（ステップＳ２）。その後デバイスデコーダメモリは満杯になったか否かを判別し（ステップＳ３）、未だ満杯になっていないと判別したときには再びステップＳ１に戻って順にオーディオデータの読み取りを継続する。
【００３２】
ステップＳ３でデバイスデコーダメモリが満杯になったと判別したときには、そのときのＨＤＤにおける読み取り位置、即ち読み取り終了位置を記録する（ステップＳ４）。これらの処理は、図１における空き容量検出部１５がデバイスデコーダメモリ８のデータ記録状態を監視し、満杯になったことを検出したときに、ＨＤＤ作動システム制御部１６が磁気ヘッドアクセス制御部１２によって、アクセス終了位置記憶部１１にそのときのアクセス位置を記憶させることによって行われる。
【００３３】
次いで、ＨＤＤの同一データ部分、またはＨＤＤの連続したアドレスデータ部分をメモリせずに読み取りを継続する（ステップＳ５）。この作動は図１の例においては、磁気ヘッドアクセス制御部１２がメモリ用制御部１３の作動から非メモリ用制御部１４の作動に切り替え、同一データ部分の読み取り、或いは連続したアドレスデータ部分の読み取りを継続する制御を行い、同時にＨＤＤ作動システム制御部１６がＨＤＤ外部出力可否選択部６におけるデバイスデコーダ７側への出力を切ることによって行われる。
【００３４】
次にデバイスデコーダメモリに記録したオーディオデータをデコーダによってデコードし、デコードしたオーディオデータをオーディオ信号処理するために出力する（ステップＳ６）。その後、デコード終了後のデバイスデコーダメモリの記録を消去し（ステップＳ７）、デバイスデコーダメモリの空き容量は所定値以下になったか否かを判別する（ステップＳ８）。ステップＳ８で未だデバイスデコーダメモリの空き容量が所定値以下になっていないと判別したときには、再びステップＳ６に戻ってデバイスデコーダメモリに記録したオーディオデータをデコードして出力し、デコード終了後のデバイスデコーダメモリの記録を消去する作動を繰り返す。
【００３５】
ステップＳ８でデバイスデコーダメモリの空き容量が所定値以下になったと判別したときには、デバイスデコーダメモリが満杯時の読み取り位置の次のオーディオデータから読み取りを始め（ステップＳ９）、再びステップＳ２に戻ってデバイスデコーダメモリに読み取ったデータを記録する処理を行って、前記作動を繰り返す。これらの処理も図１の空き容量検出部１５がデバイスデコーダメモリ８の空き容量を監視し、所定値以下になったことを検出したときには、磁気ヘッドアクセス制御部１２がメモリ用制御部１３によってアクセス終了位置記憶部１１に記憶されている位置の次のデータを読み取る制御を行い、また、ＨＤＤ外部出力可否選択部６を切り替えてデバイスデコーダメモリ８への記憶を再開する、という作動によって実行することができる。
【００３６】
この実施例においては上記のように作動することにより、オーディオプレーヤからオーディオ出力中はＨＤＤが停止することなく連続して安定回転しており、ＨＤＤの停止と駆動による電流や電圧の変動を確実に防止することができ、オーディオの音の揺れの発生を防ぐことができる。
【実施例２】
【００３７】
本発明の他の実施例を図３の機能ブロック図により説明する。図３に示す装置も前記図１に示した実施例１の技術と基本構成は同じであるので、同様の機能部についてはその説明を簡略化する。図３に示す第２実施例の機能ブロック図においても、ＨＤＤ２１においてモータ２２で回転駆動されるディスク２５に対して記録しているオーディオデータを、ヘッド駆動部２３で半径方向に移動する磁気ヘッド２４によって、磁気ヘッドアクセス制御部３２の制御に従い、順に読み取る。
【００３８】
ＨＤＤ２１の磁気ヘッド２４で読み取られたオーディオデータは適宜キャッシュメモリ２６を用いてデータの整理を行い、オーディオプレーヤにおけるデバイスデコーダ２７に備えたデバイスデコーダメモリ２８に出力している。ここで用いられるデバイスデコーダメモリ２８は充分容量の大きなものを用い、各種オーディオのうち車両で多く聞かれているＰＯＰＳ系統の音楽の１曲分は多くのものが３〜５分程度であるので、ｍｐ３等の圧縮データで、少なくともこれ以上のオーディオデータを記録可能な容量とする。
【００３９】
このときのオーディオデータの取り込みに際しては、デバイスデコーダメモリの容量に依存して取り込みデータ量が決められるが、曲変更時のトラックアップ・ダウンに対応させるために、次の曲だけでなく、前の曲のオーディオデータも合わせて取得して記憶しておくことによって、最低限の操作に対応させるようにすることが好ましい。
【００４０】
デバイスデコーダ２７においては、前記のようにしてＨＤＤから入力したオーディオデータをデバイスデコーダメモリ２８に記録し、デコード部２９はここから適宜処理可能分を読み出して、ｍｐ３等のオーディオデータの記録形式にしたがってそのデータをデコードし、オーディオプレーヤで各種処理を行うことができる信号として、オーディオ出力部３０から出力する。
【００４１】
また、空き容量検出部３３によって、デバイスデコーダメモリ２８の空き容量が無くなったか、或いは所定量以下になったか否かを検出する。前記のようにデバイスデコーダメモリ２８において通常の１曲以上のデータが記録され、空き容量が無くなったことを検出したときには、ＨＤＤ作動の総合制御を行うＨＤＤ作動システム制御部３５に信号を出力し、ＨＤＤ作動システム制御部３５では回転駆動制御部３６によってＨＤＤのモータ２２の駆動を停止する。また、デバイスデコーダメモリ２８が満杯になったときのアクセス位置、即ちアクセス終了位置をアクセス位置記憶部３１に記憶する。
【００４２】
特にこの実施例においては、後述するように曲と曲の間である曲間に次の曲、或いはその次の曲等のオーディオデータの読み込みを行うものであるが、このプレーヤで最初に再生出力する第１曲目の出力前には、デバイスデコーダメモリ２８の記憶容量が例えば２曲分程度有るときにはそのメモリが満杯になるまで記憶してからＨＤＤのモータ２２の駆動が停止されることとなる。
【００４３】
前記のようにデバイスデコーダメモリ２８に記憶したオーディオデータは順にデコード部２９でデコードされ、オーディオ出力部３０からオーディオ信号処理部に出力される。デコード部２９によるデコード処理がなされたデバイスデコーダメモリ２８のデータは順に消去される。なお、この実施例においては少なくとも最初の作動において、第１曲目からのオーディオデータを全てデバイスデコーダメモリに記録し、前記のようにモータ２２の駆動が停止された後にオーディオ出力することが好ましい。曲間検出部３４はこのようにしてオーディオデータが順に出力されていく状態を検出し、１つの曲が終了し次の曲に移る無音部を含む曲間を検出する。
【００４４】
曲間検出部３４によって前記のような曲間を検出しその信号をＨＤＤ作動システム制御部３５に出力すると、ＨＤＤ作動システム制御部３５は回転駆動制御部３６によってＨＤＤのモータ２２を駆動する。また、磁気ヘッドアクセス制御部３２によって、先にアクセス位置記憶部３１に記憶している最終アクセス位置の次のアクセス位置からＨＤＤのデータを読み取るように制御を行う。
【００４５】
それにより、再びＨＤＤ２１で読み取ったデータはデバイスデコーダメモリ２８に蓄積されていくことになるが、圧縮オーディオデータはデータ容量が少なく、且つ近年の高速ＨＤＤの利用によって、通常の曲間である３秒程度の曲間に充分次の１曲分のデータを読み取って記憶することができる。なお、デバイスデコーダメモリ２８へのオーディオデータの記録は、曲間において１曲分は充分に記録することができるように設定されるが、その曲の後の曲のデータ記録中のときには、未だメモリが満杯になっていない状態で、オーディオ出力の曲間が終了したことを検出したときには、その時点でＨＤＤの駆動を停止することが好ましい。
【００４６】
この時においても、空き容量検出部３３はデバイスデコーダメモリ２８の空き容量の状況を監視し、デバイスデコーダメモリ８が満杯になったときには前記と同様にＨＤＤのモータ２２の駆動を停止し、読み取り終了時のアクセス位置をアクセス位置記憶部３１に記憶して読み込みを終了する。
【００４７】
図３に示す第２実施例においては、例えば図４に示す作動フローによって順に作動させることができる。即ち、図４に示す例においては、ＨＤＤオーディオの再生出力処理に際して、最初前記図２に示す第１実施例と同様に、ＨＤＤの再生指示部分から順にオーディオデータの読み取りが行われ（ステップＳ１１）、デバイスデコーダメモリに少なくとも１曲分以上のデータを順に記録する（ステップＳ１２）。その後デバイスデコーダメモリは満杯になったか否かを判別し（ステップＳ１３）、未だ満杯になっていないと判別したときには再びステップＳ１に戻って順にオーディオデータの読み取りとメモリへの記録を継続する。
【００４８】
ステップＳ１３でデバイスデコーダメモリが満杯になったと判別したときには、そのときのＨＤＤにおける読み取り位置、即ち読み取り終了位置を記録する（ステップＳ１４）し、ＨＤＤのモータの駆動を停止する（ステップＳ１５）。これらの処理は、図３における空き容量検出部３３がデバイスデコーダメモリ２８のデータ記録状態を監視し、満杯になったことを検出したときに、ＨＤＤ作動システム制御部３５が磁気ヘッドアクセス制御部３２によって、アクセス終了位置記憶部３１に対してそのときのアクセス位置を記憶するとともに、回転駆動制御部３６がＨＤＤ２１のモータ２２の回転駆動を停止することによって行われる。
【００４９】
次にデバイスデコーダメモリに記録したオーディオデータをデコーダによってデコードし、デコードしたオーディオデータをオーディオ信号処理するために出力する（ステップＳ１６）。その後、デコード終了後のデバイスデコーダメモリの記録を消去し（ステップＳ１７）、オーディオ出力は曲間になったか否かを判別する（ステップＳ１８）。ここでオーディオ出力は未だ曲間になっていないと判別したときには、再びステップＳ１６に戻ってデバイスデコーダメモリに記録したオーディオデータをデコードして出力し、デコードしたデータをデバイスデコーダメモリから消去する作動を繰り返す。
【００５０】
ステップＳ１８でオーディオ出力が曲間になったと判別したときには、ＨＤＤを回転駆動し（ステップＳ１９）、ＨＤＤ停止時の読み取り位置から次のオーディオデータの読み取りを再開する（ステップＳ２０）。その後前記ステップＳ１２に戻り、先に１曲分のデータがデバイスデコーダメモリから消去されたのでそれを補充するため、少なくとも１曲分以上のデータを記録し、以降前記と同様の作動を繰り返す。
【００５１】
これらの処理は図３の曲間検出部３４がオーディオ出力を監視していて、曲と曲の間に入ったことを検出したとき、ＨＤＤ作動システム制御部３５が回転駆動制御部３６によってＨＤＤ２１のモータを回転駆動し、磁気ヘッドアクセス制御部３２によって先に記憶した位置をアクセス位置記憶部３１から読み出し、その次のアクセス位置から順に読み取る制御を行い、読み取ったデータが記録されていくデバイスデコーダメモリ２８のデータを空き容量検出部３３が監視し、満杯になったときにＨＤＤの読み取りを終了する作動を前記と同様にＨＤＤ作動システム制御部が行う。
【００５２】
この実施例においては上記のように、オーディオプレーヤから出力されるオーディオが曲間のときのみＨＤＤの回転の駆動及び停止が行われるので、ＨＤＤの停止と駆動による電流や電圧の変動によるオーディオの音の揺れの発生を確実に防ぐことができる。
【産業上の利用可能性】
【００５３】
本発明によるハードディスクオーディオ装置は、ＨＤＤに記録したデータを用いるＨＤＤ式カーナビゲーション装置を備えた車両におけるオーディオ装置として特に有効に利用することができるが、その外、近年普及している携帯用ＨＤＤオーディオプレーヤ、或いは一般家庭用のＨＤＤを用いたオーディオ装置に対しても有効に利用することができる。
【図面の簡単な説明】
【００５４】
【図１】本発明の第１実施例の機能ブロック図である。
【図２】同第１実施例の作動フロー図である。
【図３】本発明の第２実施例の機能ブロック図である。
【図４】同第２実施例の作動フロー図である。
【図５】従来例の機能ブロック図である。
【符号の説明】
【００５５】
１  ＨＤＤ
２  モータ
３  ヘッド駆動部
４  磁気ヘッド
５  ディスク
６  ＨＤＤ外部出力可否選択部
７  デバイスデコーダ
８  デバイスデコーダメモリ
９  デコード部
１０  オーディオ出力部
１１  アクセス終了位置記憶部
１２  磁気ヘッドアクセス制御部
１３  メモリ用制御部
１４  非メモリ用制御部
１５  空き容量検出部
１６  ＨＤＤ作動システム制御部
１７  回転駆動制御部
【図１】
2007066337.tif 000003
【図２】
2007066337.tif 000004
【図３】
2007066337.tif 000005
【図４】
2007066337.tif 000006
【図５】
2007066337.tif 000007